(57)【特許請求の範囲】
【請求項１】
内部に光磁気ディスクが収納されたディスクカートリッジを挿入するカートリッジ挿入位置と、上記光磁気ディスクを記録、再生するためのカートリッジ装着位置との間で往復動されるカートリッジトレーと、
上記カートリッジ装着位置に装着された上記ディスクカートリッジ内に一側方から相対的に挿入されて上記光磁気ディスクの一側面に近接される対物レンズを有する光学ピックアップと、
上記カートリッジ装着位置に装着された上記ディスクカートリッジ内に他側方から挿入されて上記光磁気ディスクの他側面に近接される外部磁界手段と、
板バネ材で構成されてシャーシに回転自在に取り付けられ、前端に上記外部磁界手段のほぼ中央部を回転自在に支持して上記ディスクカートリッジ内に対してその外部磁界手段を出し入れする支持部材と、
上記外部磁界手段のホルダーに一体に形成されて、このホルダーを上記カートリッジトレーの天板上に平行に当接する当接部と、
上記支持部材に一体に形成されて上記カートリッジトレーに係合される係合部と、
上記支持部材に一体に形成されて、上記ホルダーを上記カートリッジトレーの天板上に弾性的に押圧するバネ作用部とを備えた
ことを特徴とする光磁気ディスク装置。
【請求項２】
上記支持部材を上記カートリッジ装着位置に装着される上記ディスクカートリッジに対して離間する方向に回転付勢する付勢手段を備えた
ことを特徴とする請求項１記載の光磁気ディスク装置。
【請求項３】
上記カートリッジ装着位置への上記ディスクカートリッジの装着以前では、上記外部磁界手段を上記支持部材に対して自重を利用して上記カートリッジトレーとほぼ平行な状態にバランスさせる手段を備えた
ことを特徴とする請求項１又は請求項２記載の光磁気ディスク装置。
【発明の詳細な説明】
【０００１】
【発明の属する技術分野】
本発明は、ＭＯ等の光磁気ディスクを記録（書き込み）、（読み取り）するようにした光学ピックアップ及び外部磁界手段を備えた光磁気ディスク装置の技術分野に属するものである。
【０００２】
【従来の技術】
本発明の出願人は、例えば、特願平５−８９４３２号等の先願例によって、この種光磁気ディスク装置を既に出願している。
【０００３】
この先願例は、外部磁界手段を構成するバイアスコイルをホルダー内に装着し、一端をカートリッジトレーの天板上に回転自在に取り付けた支持レバーの他端に上記ホルダーを回転自在に取り付け、その支持レバーを回転駆動するスライド板を上記カートリッジトレーの天板上にスライド自在に取り付け、そのスライド板に形成したスライドカムと支持レバーに設けたカム従動ピンとによってカム機構を構成し、そのカム機構のカム従動ピンをスライドカムに押圧する第１の捩りコイルバネを設け、上記ホルダーを支持レバーに対して上記カートリッジトレーの天板と平行な状態にバランスさせる第２の捩りコイルバネを設けている。
【０００４】
そして、上記カートリッジトレーをディスクカートリッジが挿入されるカートリッジ挿入位置と、そのディスクカートリッジ内の光磁気ディスクを記録、再生するためのカートリッジ装着位置との間で、カートリッジ挿入方向に対して直角な方向に往復動自在に構成し、そのカートリッジトレーを往復動駆動するカートリッジトレーローディング機構で、上記スライド板をスライド駆動することによって、上記カートリッジ装着位置に装着される上記ディスクカートリッジ内に対して上記バイアスコイルを上記カートリッジトレーの天板を通して平行に出し入れするように構成したものである。
【０００５】
そして、この先願例によれば、カートリッジ装着位置に装着されるディスクカートリッジ内に対してバイアスコイルを平行に出し入れする動作を安定して行える効果がある。
【０００６】
【発明が解決しようとする課題】
しかし、この先願例では、部品点数及び組立て工数が多くて、コスト高についている。また、カートリッジトレーをカートリッジ挿入位置から一度水平に引き込んだ後にカートリッジ装着位置へ垂直に下降させるように、カートリッジトレーをほぼＬ型の移動軌跡に沿って往復動させる方式には適用しにくい等の問題があった。
【０００７】
本発明は、上記の問題を解決するためになされたものであって、部品点数及び組立て工数を大幅に削減できる光磁気ディスク装置を提供することを目的としている。
【０００８】
【課題を解決するための手段】
上記の目的を達成するための本発明の光磁気ディスク装置は、板バネ材で構成された支持部材をシャーシに回転自在に取り付け、この支持部材の前端で外部磁界手段のほぼ中央部を回転自在に支持し、カートリッジトレーによってカートリッジ挿入位置からカートリッジ装着位置に装着されるディスクカートリッジ内に対して外部磁界手段を出し入れするように構成し、その際、外部磁界手段のホルダーに一体に形成されて、このホルダーを上記カートリッジトレーの天板上に平行に当接する当接部と、上記支持部材に一体に形成されて上記カートリッジトレーに係合される係合部と、上記支持部材に一体に形成されて、上記ホルダーを上記カートリッジトレーの天板上に弾性的に押圧するバネ作用部とを備えたものである。
【０００９】
上記のように構成された本発明の光磁気ディスク装置は、板バネ材で構成された支持部材の回転運動によって、その支持部材の前端にほぼ中央部が回転自在に支持された外部磁界手段をカートリッジ内に出し入れする一方、支持部材と外部磁界手段のホルダーとにそれぞれ一体成形されたバネ作用部と当接部をカートリッジトレー上にそれぞれ当接すると共に、支持部材に一体成形された係合部をカートリッジトレーに係合させるようにしたので、カートリッジトレーをカートリッジ装着位置へ移動させた時に、支持部材のバネ作用部の撓み反力によって、ホルダーをカートリッジトレーの天板上に平行状に圧着して、外部磁界手段の安定した姿勢を確保することができる。
【００１０】
【発明の実施の形態】
以下、本発明を適用した光磁気ディスク装置の実施の形態を図を参照して説明する。
【００１１】
「光磁気ディスク装置の概要説明」
まず、図１０〜図１６によって、光磁気ディスク装置の概要を説明する。
【００１２】
まず、図１５及び図１６に示すように、ＭＯ等の光磁気ディスク１がディスクカートリッジ２内に回転自在に収納されていて、このディスクカートリッジ２には中央部から前端２ａの中央にかけて横長形状の上下一対の開口３、４（図３及び図４参照）が形成されている。そして、これら上下一対の開口３、４を上下両側から開閉できるようにほぼコ字状に形成されたシャッター５がディスクカートリッジ２の前端２ａに沿って矢印ａ、ｂ方向にスライド自在に取り付けられている。なお、ディスクカートリッジ２の非使用時には、シャッター５は内蔵されたシャッターバネ（図示せず）によって矢印ａ方向の閉蓋位置までスライド付勢されている。
【００１３】
次に、光磁気ディスク装置１１の外筐は、シャーシ１２と、その上部を覆う断面形状がほぼコ字状の上カバー１３と、これらの前端を覆うフロントパネル１４とによって構成されている。そして、フロントパネル１４の上縁側には横長のカートリッジ挿入口５が水平に形成されていて、下縁側にはイジェクト釦１６等が取り付けられている。
【００１４】
そして、この光磁気ディスク装置１１の内部で、シャーシ１２の上部にはカートリッジトレー１７が水平に配置されていて、このカートリッジトレー１７は水平な基準面である天板１７ａと、その天板１７ａの左右両側縁の下部に一体に形成されたほぼコ字状で相対向された左右一対のカートリッジ挿入部１７ｂとを有している。そして、天板１７ａの中央部からその天板１７の後端１７ａａの中央部にかけて横長形状のバイアスコイル挿入用切欠き１８が形成されていて、そのバイアスコイル挿入用切欠き１８の前側近傍位置にはディスク押え挿入用円形穴１９が形成されている。
【００１５】
そして、カートリッジトレー１７の左右両側位置で、シャーシ１２上に左右一対のトレー支持板２０が垂直に配置されていて、これらのトレー支持板２１にそれぞれ形成された各一対、合計４つのＬ型ガイド溝２２内に、カートリッジトレー１７の左右両側面に水平に取り付けられた各一対、合計４つのガイドピン２３が摺動自在に係合されている。
【００１６】
そして、シャーシ１２上に取り付けられたローディングモータ２４によって駆動されるトレーローディング機構（図示せず）によってカートリッジトレー１７がＬ型ガイド溝２２に沿って駆動されて、そのディスクカートリッジ１７が後述するカートリッジ挿入位置と、その後方のカートリッジ引込み位置との間での水平移動軌跡と、そのカートリッジ引込み位置と、その下方のカートリッジ装着位置との間での垂直移動軌跡とからなるＬ型移動軌跡に沿って、カートリッジ挿入位置とカートリッジ装着位置との間で、カートリッジ引込み位置を経由して往復動されるように構成されている。
【００１７】
「ディスクカートリッジのローディング及びイジェクト動作の説明」
次に、図１０〜図１６によって、ディスクカートリッジ２のローディング及びイジェクト動作を説明する。
【００１８】
まず、ローディング開始前の状態では、図１０に示すように光磁気ディスク装置１１内のカートリッジトレー１７がトレーローディング機構によってカートリッジ挿入口１５に最も近いカートリッジ挿入位置Ｐ１  まで矢印ｃ方向に移動されている。
【００１９】
そこで、ローディング時には、図１０に示すように、ディスクカートリッジ２をその前端２ａ側からカートリッジ挿入口１５を通してカートリッジトレー１７内の左右一対のカートリッジ挿入部１７ｂ内における所定位置まで矢印ｄ方向に手で水平に挿入する。
【００２０】
すると、図１５及び図１６に示したディスクカートリッジ２のシャッター５がシャッター開閉機構（図示せず）によって矢印ｂ方向の開蓋位置まで開蓋されると共に、そのディスクカートリッジ２がカートリッジトレー１７内に係止される。そして、ローディングモータ２４によってディスクローディング機構が作動されて、カートリッジトレー１７が図１０に示すカートリッジ挿入位置Ｐ１  から図１１及び図１２に示すカートリッジ引込み位置Ｐ２  まで矢印ｄ方向に水平に引き込まれた後、そのカートリッジトレー１７が図１２に示すカートリッジ引込み位置から図１３及び図１４に示すカートリッジ装着位置Ｐ３  まで矢印ｅ方向に垂直に下降される。
【００２１】
そして、図１３及び図１４に示すように、カートリッジトレー１７によってディスクカートリッジ２がカートリッジ装着位置Ｐ３  に水平に装着されて、そのディスクカートリッジ２がシャーシ１２上に取り付けられている左右一対の位置決めピン２５及び位置決め台２５上に上方（矢印ｅ方向）すら水平に載置されて位置決めされる。
【００２２】
そして、シャーシ１２上に取り付けられているスピンドルモータ２７のスピンドル２８及びディスクテーブル２９がディスクカートリッジ２の一側方である下側開口４内に下方（矢印ｆ方向）から相対的に挿入されて、これらスピンドル２８及びディスクテーブル２９に光磁気ディスク１がセンターコア１ａによって上方（矢印ｅ方向）から水平にマグネットチャッキングされて、この光磁気ディスク１がディスクカートリッジ２内の上下中間位置に浮上される。
【００２３】
そして、シャーシ１２上に取り付けられている光学ピックアップ３０のキャリッジ３１上の対物レンズ３２がディスクカートリッジ２の下側開口４内に下方（矢印ｆ方向）から相対的に挿入されて、光磁気ディスク１の一側面である下面に近接される。
【００２４】
そして、後述するように、シャーシ１２上に取り付けられているバイアスコイル５２がディスクカートリッジ２の他側方である上側開口３内に上方（矢印ｅ方向）から水平に挿入されて、光磁気ディスク１の他側面である上面に近接される。
【００２５】
そして、このローディング完了後に、ホストコンピュータ（ＣＰＵ）からの指令信号等によって、スピンドルモータ２７によって光磁気ディスク１をディスクカートリッジ２内で高速で回転駆動すると共に、光学ピックアップ３０のシャーシ１２に固定されている光学ブロック３３内のレーザーダイオード３４から発振されるレーザービームＬＢをコリメータレンズ３５、ビームスプリッター３６及び立上げミラー３７を通して対物レンズ３２に照射し、その対物レンズ３２によってレーザービームＬＢのスポット光を光磁気ディスク１に下面から焦集する。
【００２６】
なお、光磁気ディスク１で反射されたレーザービームＬＢの反射光を立上げミラー３７、ビームスプリッター３６、マルチレンズ３８を通して読取用フォトディテクター３９やモニター用フォトダイオード４０で受光する。
【００２７】
そして、シャーシ１２に水平に取り付けられている左右一対のガイド軸４１に沿ってキャリッジ３１をキャリッジ駆動機構４２によって矢印ｃ、ｄ方向に駆動して、対物レンズ３２を光磁気ディスク１の中心からの放射線Ｐ１１に沿って矢印ｃ、ｄ方向にシークさせる。
【００２８】
そして、バイアスコイル５２によって光磁気ディスク１の磁界を変調しながら、光学ピックアップ３０によって光磁気ディスク１のデータの記録（書き込み）及び／又は再生（読み取り）を行うように構成されている。
【００２９】
なお、光磁気ディスク１に対するデータの記録及び再生について詳細に説明すると、再生（読み取り）時には、レーザービームＬＢを対物レンズ３２によって光磁気ディスク１の記録膜面に下方から焦集させ、その記録膜面で反射したデータを含む光信号を読取用フォトディテクター３９で検知して、光電変換により電気信号に変換して信号処理回路へ送る。
【００３０】
一方、記録（書き込み）時には、レーザーダイオード３４から照射するレーザービームＬＢの光出力強度を強くして、その光出力強度の強いレーザービームＬＢを対物レンズ３２によって光磁気ディスク１の記録膜面に焦集するパワーで、その記録膜面の温度を上昇させて、その記録膜面の磁性を失わせる。そして、バイアスコイル５２によってその記録膜面に磁界をかけて、その記録膜面の温度が降下した際に、バイアスコイル５２でかけていた磁極の方向に記録膜面が再度磁化されることを利用してデータを記録する。
【００３１】
また、キャリッジ駆動機構４２は、シャーシ１２に取り付けられた左右各一対、合計４つのヨーク及び左右一対のマグネットによって閉磁路に構成された左右一対の磁気回路４３と、キャリッジ３１の左右両端に固着されて、左右一対の磁気回路４３によって駆動される筒型のボイスコイル４４とからなるいわゆるリニアモータによって構成されている。
【００３２】
次に、光磁気ディスク１の記録及び／又は再生後のイジェクト時には、ホストコンピュータからの指令信号やイジェクト釦１６を押すことによって、ローディングモータ２４によってディスクローディング機構が作動されて、カートリッジトレー１７が図１３に示すカートリッジ装着位置Ｐ３  から図１２及び図１１に示すカートリッジ引込み位置Ｐ２  まで矢印ｆ方向に垂直に上昇されて、ディスクカートリッジ２内の光磁気ディスク１がスピンドルモータ２７及び対物レンズ３２に対して上方（矢印ｆ方向）に離脱されると共に、バイアスコイル５２がディスクカートリッジ２内からカートリッジトレー１７の上方に水平に上昇される。
【００３３】
そして、引き続きカートリッジトレー１７が図１１に示すカートリッジ引込み位置Ｐ２  から図１０に示すカートリッジ挿入位置Ｐ１  まで矢印ｃ方向に水平に移動されて、ディスクカートリッジ２の後端２ｂがカートリッジ挿入口１５外に矢印ｃ方向に突出される。
【００３４】
そこで、そのディスクカートリッジ２の後端を手でつまんで、そのディスクカートリッジ２を光磁気ディスク装置１１外に矢印ｃ方向に引き抜くと、シャッター４が矢印ａ方向の閉蓋位置へ移動されて、上下一対の開口３ａ、３ｂがシャッター４によって閉塞される。
【００３５】
「バイアスコイル支持機構の説明」
次に、図１〜図１３によって、バイアスコイル支持機構５１について説明する。
【００３６】
まず、図３、図４、図６及び図１７に示すように、外部磁界手段を構成しているバイアスコイル５２は鉄芯５３の外周に巻回されて、板金等で形成されたホルダー５４の扁平で、長方形状のケース５４ａ内に水平に装着されている。そして、このケース５４ａの下面でバイアスコイル５１の下部相当位置には開口５５が形成されている。
【００３７】
そして、ホルダー５４のケース５４ａの水平な天板５４ｂがそのケース５４ａの前後両端から前後方向である矢印ｃ、ｄ方向に延出されていて、その天板５４ｂの前端５４ｃの下面には合成樹脂等によって円板状に成形されたディスク押え５６がビス止めされている。そして、その天板５４ｂの後端５４ｄの左右両側部には左右一対の突片５７が水平状に一体に形成されていて、天板５４ｂがカートリッジトレー１７の天板１７ａ上への当接部に構成されている。
【００３８】
そして、ホルダー５４のケース５４ａの左右両側面で、前後方向（矢印ｃ、ｄ方向）のほぼ中央位置には左右一対の支点ピン５８がその前後方向に対して直角状で、かつ、水平に取り付けられている。なお、ケース５４ａの前端の両側面で、かつ、下側に偏位された位置に左右一対の突片５９が水平状に一体に形成されていて、天板５４ａの後端で、ケース５４ａと左右一対の突片５７との間で、かつ、ケース５４ａ側に偏位された位置に左右一対の凹部６０が一体に形成されている。
【００３９】
次に、図１、図２、図５、図８及び図９に示すように、このバイアスコイル支持機構５１には、ホルダー５４をディスクカートリッジ２内に対して出し入れ自在に支持する支持部材６１が使用されている。そして、この支持部材６１はステンレス薄板等の板バネ材で構成されていて、この支持部材６１は、水平な基部底板６２ａと、その左右両端縁から上方に垂直に折り曲げられた左右一対の基部両側板６２ｂとによって断面形状が上向きのほぼコ字状に形成された基部６２と、その基部６２の左右両側板６２ｂの上端縁から左右両側方に水平に折り曲げられて前方である矢印ｃ方向に水平に延出された左右一対のバネ作用部６３と、これら左右一対のバネ作用部６３の前端の内側縁から上方に垂直に折り曲げられて前方である矢印ｃ方向に延出された左右一対の支持アーム６４とによって構成されている。
【００４０】
そして、左右一対の基部両側板６２ｂの後端と、左右一対の支持アーム６４の前端とにそれぞれ左右一対の支点ピン挿通穴６５、６６が形成されている。そして、左右一対の基部両側板６２ｂの前端で、かつ、下側に偏位された位置から左右一対の突片６７が左右両側方に向って垂直状に折り曲げられていて、これら左右一対の突片６７がカートリッジトレー１７に対する係合部に構成されている。そして、左右一対のバネ作用部６３の前端から左右一対の傾斜片６８が前方、上方に向って斜めに折り曲げられていて、左右一対の支持アーム６４の後端側の上端縁から左右一対の突片６９が内側に向って水平に折り曲げられている。そして、この左右一対の突片６９がホルダー５４を自重を利用してカートリッジトレー１７と平行にバランスさせる手段を構成している。なお、左右一対の基部両側板６２ｂの前後方向のほぼ中央部の下端側に左右一対のバネ係止穴７０が形成されていて、これら左右一対の基部両側板６２ｂの後端面が左右一対のストッパー面７１に形成されている。また、左右一対のバネ作用部６３の内側縁にはホルダー５４の左右一対の突片５７に対応された左右一対の切欠き７２が形成されている。
【００４１】
そして、図１、図２、図５、図８、図１０〜図１３に示すように、光磁気ディスク装置１１内の後端で、シャーシ１２上の左右方向の中央位置に取付台７３がビス止めされていて、この取付台７３には支点ピン７４が矢印ｃ、ｄ方向に対して直角で、かつ、水平状に架設されている。そして、支持部材６１がその基部６２の左右一対の支点ピン挿通穴６５によってその支点ピン７４に挿通されて、支持部材６１が支点ピン７４を中心に上下方向である矢印ｇ、ｈ方向に回転自在に取り付けられている。
【００４２】
そして、その支点ピン７４の外周に付勢手段である左右一対で、対称状の捩りコイルバネ７５が挿入されていて、これら捩りコイルバネ７５の両端７５ａ、７５ｂが取付台７１と支持部材６１の左右一対のバネ係止穴７０とにそれぞれ係止され、これら左右一対の捩りコイルバネ７５によって、支持部材６１が上方である矢印ｇ方向に回転付勢されている。
【００４３】
そして、支持部材６１の左右一対の支持アーム６４間にホルダー５４が水平に挿入されて、その支持アーム６４の左右一対の支点ピン挿通穴６６がホルダー５４の左右一対の支点ピン５８に挿通されて、ホルダー５４が支持部材６１に対して左右一対の支点ピン５８を中心に矢印ｉ、ｊ方向に回転自在に取り付けられている。
【００４４】
「バイアスコイルの昇降動作の説明」
次に、図１〜図１３によって、バイアスコイル５２をディスクカートリッジ２内に対して出し入れするための昇降動作を説明する。
【００４５】
まず、図１０に示すように、カートリッジトレー１７がカートリッジ挿入位置Ｐ１  まで矢印ｃ方向に移動されている時には、そのカートリッジトレー１７の天板１７ａのバイアスコイル挿入用切欠き１８及びディスク押え挿入用切欠き１９がバイアスコイル５２及びディスク押え５６に対して矢印ｃ方向に偏位されている。
【００４６】
そして、この時には、図２、図４、図５及び図１２に示すように、支持部材６１が左右一対の捩りコイルバネ７５によって支点ピン７３を中心に上方である矢印ｇ方向に回転付勢されて、その支持部材６１の左右一対の支持アーム６４によって、ホルダー５４全体が上方である矢印ｆ方向に上昇されて、ホルダー５４と一体のバイアスコイル５２及びディスク押え５６がカートリッジトレー１７の天板１７ａより上方位置まで矢印ｆ方向に水平に上昇されている。
【００４７】
なお、この時、図８に示した支持部材６１の左右一対の基部両側板６２ｂの後端面であるストッパー面７１が取付台７２に当接することで、支持部材６１が取付台７２に対して水平となった位置で停止される。
【００４８】
そして、この上昇位置にて、ホルダー５４と一体にバイアスコイル５２及びディスク押え５６が、これらの自重によってカートリッジトレー１７の天板１７ａに対してほぼ平行となる水平状態に安定良くバランスされる。
【００４９】
即ち、図２及び図１２に示すように、ホルダー５４は左右一対の支点ピン５８を中心にして、前端５４ｃ側が重く、後端５４ｄ側が軽いような重量配分に設計されている。従って、ホルダー５４はその自重による回転モーメントによって支点ピン５８を中心として支持部材６１に対して矢印ｉ方向に回転し、支持部材６１の左右一対の突片６９にホルダー５４の天板５４ｂの左右一対の凹部６０が矢印ｉ方向から当接して、ホルダー５４が水平状態で安定良くバランスされる。
【００５０】
次に、図２、図１１及び図１２に示すように、前述した光磁気ディスク１のローディング時に、カートリッジトレー１７がカートリッジ挿入位置Ｐ１  からカートリッジ引込み位置Ｐ２  まで矢印ｄ方向に水平に引き込まれると、カートリッジトレー１７の天板１７ａのバイアスコイル挿入用切欠き１８及びディスク押え挿入用切欠き１９がバイアスコイル５２及びディスク押え５６の真下位置まで矢印ｄ方向に移動される。
【００５１】
そして、カートリッジトレー１７のバイアスコイル挿入用切欠き１８の左右両側縁１８ａで、矢印ｃ方向側の端部から上方に垂直に折り曲げられているほぼＬ型の左右一対の係止片８１がホルダー５４の左右一対の突片５９の上部に係合されると共に、そのバイアスコイル挿入用切欠き１８の左右側端縁１８ａの矢印ｄ方向側の端部で構成されている左右一対の係合部８２が支持部材６１の左右一対のバネ作用部６３の下部で、左右一対の突片６７の上部に係合される。
【００５２】
次に、図１、図３、図１２及び図１３に示すように、カートリッジトレー１７がカートリッジ引込み位置からカートリッジ装着位置まで矢印ｅ方向に垂直に下降されると、カートリッジトレー１７の左右一対の係止片８１がホルダー５４の左右一対の突片５９を下方である矢印ｅ方向に押し下げると共に、カートリッジトレー１７の左右一対の係合部８２が支持部材６１の左右一対の突片６７を下方である矢印ｅ方向に押し下げる。
【００５３】
この結果、カートリッジトレー１７によって支持部材６１が支点ピン７４を中心に左右一対の捩りコイルバネ７５に抗して矢印ｈ方向に回転駆動されて、支持部材６１の左右一対の支持アーム６４によって、ホルダー５４全体が矢印ｅ方向に下降される。そして、図３に示すように、ホルダー５４のケース５４ａ及びバイアスコイル５２と、ディスク押え５６とがカートリッジトレー１７のバイアスコイル挿通用切欠き１８及びディスク押え挿通用円形穴１９を挿通して、ディスクカートリッジ２の上側開口３内に上方から矢印ｅ方向に挿入されて、バイアスコイル５２が光磁気ディスク１の上面に近接される。
【００５４】
この際、ホルダー５４の先端５４ｃ側が後端５４ａ側に対して先行するように下降されて、ディスク押え５６が光磁気ディスク１のセンターコア１ａを上方から軽く叩く挙動を行い、そのセンターコア１ａのスピンドル２８及びディスクテーブル２９へのマグネットチャッキング動作を開始する。
【００５５】
そして、ホルダー５４の引き続いての矢印ｅ方向への下降によって、図１、図３及び図１１に示すように、その天板５４ｂの前端５４ｃ側がカートリッジトレー１７の天板１７ａのバイアスコイル挿入用切欠き１８の前端縁１８ｂの上面上に矢印ｅ方向から当接され、ホルダー５４が支持部材６１に対して左右一対の支点ピン５８を中心に矢印ｊ方向に回転して、その天板５４ｂの後端５４ｄ側の左右一対の突片５７が支持部材６１の左右一対の切欠き７２を挿通して、カートリッジトレー１７の天板１７ａのバイアスコイル挿通用切欠き１８の左右両側縁１８ａの上面上に矢印ｅ方向から当接される。
【００５６】
そして、ホルダー５４の天板５４ａがカートリッジトレー１７の天板１７ａ上に当接されたことで、バイアスコイル５２及びディスク押え５６のディスクカートリッジ２内への矢印ｅ方向の挿入動作は終了するが、カートリッジトレー１７はこの後も引き続き矢印ｅ方向に下降する。
【００５７】
従って、カートリッジトレー１７の左右一対の係合部８２が支持部材６１の左右一対の突片６７を矢印ｅ方向に引き続き押し下げて、図１に示すように、支持部材６１が引き続き矢印ｈ方向に回転駆動されて、その左右一対のバネ作用部６３がこれらの弾性に抗して下向きに凸となる円弧状に撓む。
【００５８】
そして、カートリッジトレー１７が図１３に示すカートリッジ装着位置Ｐ３  まで矢印ｅ方向に完全に下降されて、スピントル２８及びディスクテーブル２９への光磁気ディスク１のローディング動作が完了した状態では、支持部材６１の左右一対のバネ作用部６３の撓み反力であるバネ力によって、ホルダー５４の天板５４ｂがカートリッジトレー１７の天板１７ａ上に矢印ｅ方向から強く平行状に圧着されて、ホルダー５４がカートリッジトレー１７の基準面である天板１７ａ上に平行で、かつ、安定した水平姿勢に載置されることになる。
【００５９】
以上の結果、図３に示すように、光磁気ディスク１のローディング完了状態では、バイアスコイル５２と光磁気ディスク１との間のクリアランスＧ１  が設計値通りに正確に設定されると共に、カートリッジトレー１７上に載置されたホルダー５４の水平姿勢を安定して維持し続けることができることから、光磁気ディスク１の記録、再生の動作中に光磁気ディスク装置１１に外部振動等の外乱が加えられても、バイアスコイル５２と光磁気ディスク１との間のクリアランスＧ１  に変化が生じることがなく、その光磁気ディスク１の記録、再生の高い特性を安定して得ることができる。
【００６０】
なお、図３に示すように、ホルダー５４の天板５４ｂがカートリッジトレー１７の天板１７ａ上に平行に圧着された時点で、ディスク押え５６と光磁気ディスク１のセンターコア１ａとの間にはクリアランスＧ２  が確保される。従って、光磁気ディスク１の記録、再生の動作中は、光磁気ディスク１のセンターコア１ａがディスク押え５６に接触されることがなく、光磁気ディスク１は安定良く回転できる。
【００６１】
なお、前述した光磁気ディスク１のイジェクト時には、図２、図１１及び図１２に示すように、カートリッジトレー１７がカートリッジ装着位置Ｐ３  からカートリッジ引込み位置Ｐ２  まで矢印ｆ方向に上昇されることによって、支持部材６１が支点ピン７４を中心に左右一対の捩りコイルバネ７５によって矢印ｇ方向に回転駆動されて、ホルダー５４と一体にバイアスコイル５２及びディスク押え５６がディスクカートリッジ２の上側開口３から上方である矢印ｆ方向に引き出されて、カートリッジトレー１７の天板１７ａより上方の上昇位置まで矢印ｆ方向に上昇されて、水平状態にバランスされる。
【００６２】
そして、図１０に示すように、カートリッジトレー１７がカートリッジ引込位置Ｐ２  からカートリッジ挿入位置Ｐ１  まで矢印ｃ方向に移動されると、そのカートリッジトレー１７の天板１７ａのバイアスコイル挿入用切欠き１８及びディスク押え挿入用切欠き１９がバイアスコイル５２及びディスク押え５６に対して矢印ｃ方向に偏位され、左右一対の係止片８１及び係合部８２が左右一対の突片５９及び６７から矢印ｃ方向に離脱される。
【００６３】
以上、本発明の実施の形態について説明したが、本発明は上記した実施の形態に限定されることなく、本発明の技術的思想に基づいて各種の変更が可能である。
【００６４】
【発明の効果】
以上のように構成された本発明の光磁気ディスク装置は、次のような効果を奏する。
【００６５】
請求項１は、板バネ材で構成された支持部材の回転運動によって、その支持部材の前端にほぼ中央部が回転自在に支持された外部磁界手段をカートリッジ内に出し入れする一方、支持部材と外部磁界手段のホルダーとにそれぞれ一体成形されたバネ作用部と当接部をカートリッジトレー上にそれぞれ当接すると共に、支持部材に一体成形された係合部をカートリッジトレーに係合させるようにしたので、カートリッジトレーをカートリッジ装着位置へ移動させた時に、支持部材のバネ作用部の撓み反力によって、ホルダーをカートリッジトレーの天板上に平行状に圧着して、外部磁界手段の安定した姿勢を確保することができる。従って、外部振動等の外乱が加えられても、外部磁界手段を光磁気ディスクとの間のクリアランスを安定して維持することができて、外乱に対して強い光磁気ディスク装置を実現することができる。
【００６６】
請求項２は、支持部材をカートリッジ装着位置に装着されるディスクカートリッジに対して離間する方向に回転付勢する付勢手段を備えたので、カートリッジトレーをカートリッジ挿入位置から一度水平に引き込んだ後にカートリッジ装着位置へ垂直に下降するように、カートリッジトレーをほぼＬ型の移動軌跡に沿って往復動させる方式の光磁気ディスク装置において、ディスクカートリッジ内に対する外部磁界手段の出し入れをスムーズに行うことができる。
【００６７】
請求項３は、カートリッジ装着位置へのディスクカートリッジの装着以前では、外部磁界手段を支持部材に対して自重を利用してカートリッジトレーとほぼ平行な状態にバランスさせる手段を備えたので、カートリッジトレーをカートリッジ挿入位置から一度水平に引き込んだ後にカートリッジ装着位置へ垂直に下降するように、カートリッジトレーをほぼＬ型の移動軌跡に沿って往復動させる方式の光磁気ディスク装置において、ディスクカートリッジ内に対する外部磁界手段の出し入れをスムーズに行うことができる。
【図面の簡単な説明】
【図１】本発明を適用した光磁気ディスク装置の実施の形態におけるバイアスコイル支持機構のディスクカートリッジ内へのバイアスコイルの挿入状態を示した斜視図である。
【図２】同上のバイアスコイル支持機構のディスクカートリッジ外へのバイアスコイルの引き出し状態を示した斜視図である。
【図３】図１のＡ−Ａ矢視での断面側面図である。
【図４】図２のＢ−Ｂ矢視での断面側面図である。
【図５】支持部材とホルダーとの組付け状態を示した斜視図である。
【図６】ホルダーの斜視図である。
【図７】ホルダーの平面図及び側面図である。
【図８】支持部材と取付台の分解斜視図である。
【図９】支持部材の平面図及び２方向の側面図である。
【図１０】カートリッジトレーのカートリッジ挿入位置を説明する光磁気ディスク装置全体の一部切欠き概略平面図である。
【図１１】カートリッジトレーのカートリッジ引込み位置を説明する光磁気ディスク装置全体の一部切欠き概略平面図である。
【図１２】図１１の一部切欠き概略側面図である。
【図１３】カートリッジトレーのカートリッジ装着位置を説明する光磁気ディスク装置全体の一部切欠き概略側面図である。
【図１４】図１３の一部切欠き概略平面図である。
【図１５】上カバーを取り外した光磁気ディスク装置全体とディスクカートリッジとを示した斜視図である。
【図１６】光磁気ディスク装置全体とディスクカートリッジとを示した斜視図である。
【符号の説明】
１      光磁気ディスク
２      ディスクカートリッジ
３      ディスクカートリッジの上側開口
４      ディスクカートリッジの下側開口
１１    光磁気ディスク装置
１２    シャーシ
１７    カートリッジトレー
１７ａ  カートリッジトレーの天板
１７ｂ  カートリッジトレーのカートリッジ挿入部
１８    バイアスコイル挿入用切欠き
２７    スピンドルモータ
３０    光学ピックアップ
３２    対物レンズ
５１    バイアスコイル支持機構
５２    バイアスコイル（外部磁界手段）
５４    ホルダー
５４ａ  ホルダーのケース
５４ｂ  ホルダーの天板（当接部）
５４ｃ  ホルダーの天板の前端
５４ｄ  ホルダーの天板の後端
６１    支持部材
６２    支持部材の基部
６３    支持部材のバネ作用部
６４    支持部材の支持アーム
６７    支持部材の突片（係合部）
６９    支持部材の突片（平行バランス手段）
７３    取付台
７４    取付台の支点ピン
７５    捩りコイルバネ（付勢手段）
８２    カートリッジトレーの係合部
Ｐ１      カートリッジトレーのカートリッジ挿入位置
Ｐ２      カートリッジトレーのカートリッジ引込み位置
Ｐ３      カートリッジトレーのカートリッジ装着位置
【図１】
0003572771.tif 000002
【図２】
0003572771.tif 000003
【図３】
0003572771.tif 000004
【図４】
0003572771.tif 000005
【図５】
0003572771.tif 000006
【図６】
0003572771.tif 000007
【図７】
0003572771.tif 000008
【図８】
0003572771.tif 000009
【図９】
0003572771.tif 000010
【図１０】
0003572771.tif 000011
【図１１】
0003572771.tif 000012
【図１２】
0003572771.tif 000013
【図１３】
0003572771.tif 000014
【図１４】
0003572771.tif 000015
【図１５】
0003572771.tif 000016
【図１６】
0003572771.tif 000017